(57)【要約】【課題】１）宅配物が収納されていないときは場所を取らず、宅配物を収納するときは十分な収納体積を確保し、２）宅配物を機器に出し入れする際に、ユーザ（配達員および荷物受取人）に対して腰に負担がかかる動作を強要しない宅配物受取装置を提供すること。【解決手段】収納装置は、本体部と、前記本体部の前方に設けられ、本体部から展開可能なパネル部であって、前記本体部から展開された展開状態において、前記本体部とともに物体を収納可能な空間を形成可能なパネル部と、空間が形成されている場合に、利用者の指示に応じて前記パネル部の前部を少なくとも開放する制御部とを備える。【選択図】図１
2019136467.tif 000002
【特許請求の範囲】
【請求項１】
本体部と、
前記本体部の前方に設けられ、前記本体部から展開可能なパネル部であって、前記本体部から展開された展開状態において、前記本体部とともに物体を収納可能な空間を形成可能なパネル部と、
前記空間が形成されている場合に、利用者の指示に応じて前記パネル部の前部を少なくとも開放する制御部と
を備える収納装置。
【請求項２】
ユーザから第１識別情報を取得する取得部
をさらに備え、
前記制御部は、前記空間が形成されている場合に、前記取得部が取得した第１識別情報が予め定められた第２識別情報に適合することを条件として、前記パネル部の前部を少なくとも開放する
請求項１に記載の収納装置。
【請求項３】
前記収納装置は、配達物を収納する収納装置であり、
前記取得部は、配達者が配達する配達物に対応づけられた前記第１識別情報を取得し、
前記制御部は、前記収納装置に収納されるべき配達物に対応づけられた前記第２識別情報を管理するサーバと通信可能であり、前記空間が形成されている場合に、前記第１識別情報が前記サーバにより管理される前記第２識別情報に適合することを条件として、前記パネル部の前部を少なくとも開放する
請求項２に記載の収納装置。
【請求項４】
前記パネル部の前部が開放された後、前記パネル部の前部が閉じられた場合に、前記空間が形成された状態で前記パネル部をロックするロック部
をさらに備える請求項３に記載の収納装置。
【請求項５】
前記取得部はさらに、前記配達物の受取者からパスコードを取得し、
前記制御部は、前記空間が形成されている場合に、前記取得部が取得したパスコードが予め定められたパスコードに適合することを条件として、前記パネル部の前部を少なくとも開放する
請求項３又は４に記載の収納装置。
【請求項６】
前記パネル部は、
前記本体部から展開されていない非展開状態において畳まれ、前記展開状態において広げられる複数のカバーパネル部
を有する請求項１から５のいずれか一項に記載の収納装置。
【請求項７】
前記パネル部が前記非展開状態から展開される場合に、前記複数のカバーパネル部が前記畳まれた状態から広げられることにより、前記パネル部が前記展開状態になった場合に前記空間を形成する
請求項６に記載の収納装置。
【請求項８】
前記パネル部は、
前記非展開状態において前記収納装置の前部に立設され、前記展開状態において底部に平置される前パネル部
をさらに有し、
前記展開状態において、前記前パネル部の前端部に底面から上面に向かう傾斜部を有する
請求項６又は７に記載の収納装置。
【請求項９】
前記パネル部は、前記パネル部の前部が開放されている場合に前記複数のカバーパネル部のうちの少なくとも一部を収納するための収納部を有する
請求項８に記載の収納装置。
【請求項１０】
前記本体部は、前記パネル部の前部が開放されている場合に前記複数のカバーパネル部のうちの少なくとも一部を収納するための収納部を有する
請求項８に記載の収納装置。
【請求項１１】
前記パネル部が前記非展開状態から展開される場合に、前記前パネル部が前記立設された状態から前記平置された状態に移行する動きに従って前記複数のカバーパネル部が前記畳まれた状態から広げられることにより、前記パネル部が前記展開状態になった場合に前記空間を形成する
請求項８から１０のいずれか一項に記載の収納装置。
【請求項１２】
前記パネル部は、
前記非展開状態において前記収納装置の前部に立設され、前記展開状態において底部に平置される前パネル部
をさらに有し、
前記パネル部が前記非展開状態から展開される場合に、前記複数のカバーパネル部は前記前パネル部又は前記本体部内に畳まれて収納された状態にあり、
前記パネル部は、前記複数のカバーパネル部が前記前パネル部又は前記本体部内に畳まれて収納された状態で前記前パネル部が前記立設された状態から前記平置された状態に移行することにより、前記パネル部の前部が少なくとも開放された状態で展開される
請求項６に記載の収納装置。
【発明の詳細な説明】
【技術分野】
【０００１】
本発明は収納装置に関する。
【背景技術】
【０００２】
電子商取引（ＥＣ）市場の拡大に伴い宅配便の取扱件数が増加している。これに伴い、受取人の不在等による再配達が問題となっている。近年、再配達対策として、集合住宅において、その入口部分に共用の宅配ボックスが設置されたり個々の部屋の玄関脇に個人向けの宅配ボックスが設置されたりすることが一般的になりつつある。また、集合住宅のみならず一戸建ての住宅においてもその玄関脇に個人向けの宅配ボックスが設置されることが一般的になりつつある。
例えば特許文献１には、入れ子構造を有する宅配ボックスと、蛇腹構造を有する宅配ボックスとが開示されている。特許文献１が開示する宅配ボックスによれば、その入れ子構造または蛇腹構造により、宅配物が収納されていないときには場所を取らず、宅配物を収納するときには十分な収納体積を確保することができる。
例えば特許文献２には、折り畳み構造を有する宅配ボックスが開示されている。特許文献２が開示する宅配ボックスによれば、その折り畳み構造により、宅配物が収納されていないときには場所を取らず、宅配物を収納するときには十分な収納体積を確保することができる。
例えば特許文献３には、管理サーバと、当該管理サーバと通信可能に接続された受箱（宅配ボックス）とが開示されている。また、宅配物が宅配ボックスに配達されたことを示す情報などが、管理サーバから宅配物受取人のユーザ端末宛てに通知されることが開示されている。
［先行技術文献］
［特許文献］
［特許文献１］特開平９−１１８３９１号公報
［特許文献２］特開２０１６−５５１７０号公報
［特許文献３］特開２０１７−１６５８５号公報
【発明の概要】
【発明が解決しようとする課題】
【０００３】
特許文献１の、入れ子構造を有する宅配ボックス（特許文献１の図１および図２）においては、重い宅配物を宅配ボックスに出し入れすることが、利用者（配達員および荷物受取人）にとって容易ではないという課題がある。その理由は、宅配ボックスの入れ子構造に起因して、宅配ボックス内側底面に段差が存在するからである。利用者が重い宅配物を宅配ボックスに出し入れする際、宅配物にこの段差が引っかかってしまう。このため、利用者が宅配物を出し入れする際には、利用者は宅配物を持ち上げながら宅配ボックスに出し入れする必要がある。これにより、利用者の足腰に負担がかかってしまう。特許文献１の、蛇腹構造を有する宅配ボックス（特許文献１の図３、図４および図５）においては、宅配物を宅配ボックスの上面から出し入れする構造になっている。このため、利用者が宅配物を出し入れする際には、利用者は、宅配物を少なくとも宅配ボックスの背丈よりも高い高さまで持ち上げる必要がある。これにより、利用者の足腰に負担がかかってしまう。
特許文献２の、折り畳み構造を有する宅配ボックスにおいても、宅配物を宅配ボックスの上面から出し入れする構造になっている。このため、利用者が宅配物を出し入れする際には、利用者は、宅配物を少なくとも宅配ボックスの背丈よりも高い高さまで持ち上げる必要がある。これにより、利用者の足腰に負担がかかってしまう。
特許文献３は、宅配ボックスの物理的な構造については特に言及していない。
本発明は、下記２つの課題を同時に解決することができる宅配物受取装置にかかる収納装置を提供することを、一つの目的とする。
１）宅配物が収納されていないときは場所を取らず、宅配物を収納するときは十分な収納体積を確保すること。
２）宅配物を宅配物受取装置に出し入れする際に、ユーザ（配達員および荷物受取人）に対して腰に負担がかかる動作を強要しないこと。
より一般には、本発明は、下記の課題を解決することができる収納装置を提供することを、一つの目的とする。
１）物体が収納されていないときは場所を取らず、物体を収納するときは十分な収納体積を確保すること。
２）物体を収納装置に出し入れする際に、ユーザに対して負担がかかる動作を強要しないこと。
【課題を解決するための手段】
【０００４】
本発明の第１の態様によれば、収納装置が提供される。収納装置は、本体部の前方に設けられ、本体部から展開可能なパネル部であって、本体部から展開された展開状態において、本体部とともに物体を収納可能な空間を形成可能なパネル部を備えてよい。収納装置は、空間が形成されている場合に、利用者の指示に応じてパネル部の前部を少なくとも開放する制御部を備えてよい。
【０００５】
収納装置は、ユーザから第１識別情報を取得する取得部をさらに備えてよい。制御部は、空間が形成されている場合に、取得部が取得した第１識別情報が予め定められた第２識別情報に適合することを条件として、パネル部の前部を少なくとも開放してよい。
【０００６】
収納装置は、配達物を収納する収納装置であってよい。取得部は、配達者が配達する配達物に対応づけられた第１識別情報を取得してよい。制御部は、収納装置に収納されるべき配達物に対応づけられた第２識別情報を管理するサーバと通信可能であり、空間が形成されている場合に、第１識別情報がサーバにより管理される第２識別情報に適合することを条件として、パネル部の前部を少なくとも開放してよい。
【０００７】
パネル部の前部が開放された後、パネル部の前部が閉じられた場合に、空間が形成された状態でパネル部をロックするロック部をさらに備えてよい。
【０００８】
取得部はさらに、配達物の受取者からパスコードを取得してよい。制御部は、空間が形成されている場合に、取得部が取得したパスコードが予め定められたパスコードに適合することを条件として、パネル部の前部を少なくとも開放してよい。
【０００９】
パネル部は、本体部から展開されていない非展開状態において畳まれ、展開状態において広げられる複数のカバーパネル部を有してよい。
【００１０】
パネル部が非展開状態から展開される場合に、複数のカバーパネル部が畳まれた状態から広げられることにより、パネル部が展開状態になった場合に空間を形成してよい。
【００１１】
パネル部は、非展開状態において収納装置の前部に立設され、展開状態において底部に平置される前パネル部をさらに有してよい。展開状態において、前パネル部の前端部に底面から上面に向かう傾斜部を有してよい。
【００１２】
パネル部は、パネル部の前部が開放されている場合に複数のカバーパネル部のうちの少なくとも一部を収納するための収納部を有してよい。
【００１３】
本体部は、パネル部の前部が開放されている場合に複数のカバーパネル部のうちの少なくとも一部を収納するための収納部を有してよい。
【００１４】
パネル部が非展開状態から展開される場合に、前パネル部が立設された状態から平置された状態に移行する動きに従って複数のカバーパネル部が畳まれた状態から広げられることにより、パネル部が展開状態になった場合に空間を形成してよい。
【００１５】
パネル部は、非展開状態において収納装置の前部に立設され、展開状態において底部に平置される前パネル部をさらに有してよい。パネル部が非展開状態から展開される場合に、複数のカバーパネル部は前パネル部又は本体部内に畳まれて収納された状態にあってよい。パネル部は、複数のカバーパネル部が前パネル部又は本体部内に畳まれて収納された状態で前パネル部が立設された状態から平置された状態に移行することにより、パネル部の前部が少なくとも開放された状態で展開されてよい。
【００１６】
なお、上記の発明の概要は、本発明の必要な特徴の全てを列挙したものではない。また、これらの特徴群のサブコンビネーションもまた、発明となりうる。
【図面の簡単な説明】
【００１７】
【図１】図１は、第一の実施形態にかかる宅配物受取装置の説明図である。
【図２】図２は、第二の実施形態にかかる宅配物受取装置の説明図である。
【図３】図３は、第１の実施形態の状態遷移を示す。
【図４】図４は、第１の実施形態の変形例の状態遷移を示す。
【図５】図５は、宅配物受取装置の機構案を示す。
【図６】図６は、宅配物受取装置の機構案を示す。
【図７】一実施形態にかかる宅配システム１０の利用環境を概略的に示す。
【図８】宅配物受取装置１００を前方から見た場合の外観を概略的に示す。
【図９】宅配物受取装置１００を側方から見た場合の側断面を概略的に示す。
【図１０】パネル部２００の展開状態においてカバーパネル部２０４が閉じた状態を示す概略的な斜視図である。
【図１１】パネル部２００の展開状態においてカバーパネル部２０４が閉じた状態を示す概略的な側面図である。
【図１２】パネル部２００の展開状態においてカバーパネル部２０４が開いた状態を示す概略的な斜視図である。
【図１３】配達員８０が宅配物４０を前パネル部２０２上に載せる場合の動作を概略的に示す。
【図１４】宅配物受取装置１００の変形例としての宅配物受取装置１４００の側断面を概略的に示す。
【図１５】カバーパネル閉状態における概略的な側面図である。
【図１６】カバーパネル開状態における宅配物受取装置１４００の概略的な斜視図である。
【図１７】カバーパネル部２０４の開閉機構を概略的に示す側面図である。
【図１８】カバーパネル部２０４の１つを拡大して示す。
【図１９】宅配物受取装置１００の変形例としての宅配物受取装置１９００を概略的に示す。
【図２０】宅配物受取装置１００の変形例としての宅配物受取装置２０００を概略的に示す。
【発明を実施するための形態】
【００１８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１９】
＜第一の実施形態＞
［第一の実施形態にかかる宅配物受取装置の構造］
第一の実施形態にかかる宅配物受取装置（以下単に「宅配物受取装置」と記載）は、折り畳み状態から展開状態へ、また、展開状態から折り畳み状態へと変形可能である。また、宅配物受取装置は、その展開状態において、開錠状態から施錠状態へ、また、施錠状態から開錠状態へと変形可能である。
図１Ａおよび図１Ｂは、宅配物受取装置が折り畳まれた状態（以下「折り畳み状態」と記載）を示す図である。
図１Ｃ、図１Ｄおよび図１Ｅは、宅配物受取装置が展開された状態（以下「展開状態」と記載）を示す図である。
図１Ｃおよび図１Ｅは、展開状態における施錠状態を示す図である。
図１Ｄは、展開状態における開錠状態を示す図である。
図３は、第１の実施形態の状態遷移を示す。
【００２０】
図１Ａは、折り畳み状態にある宅配物受取装置を前面から見た図である。
図１Ｂは、折り畳み状態にある宅配物受取装置を側面から見た図である。
【００２１】
図１Ａに示すように、宅配物受取装置は、前パネルが前側に開かれることにより、折り畳み状態から展開状態（施錠状態）へと変形される。前パネルを前に開くと、折り畳み状態における前パネルの外側面が地面に接する面になる。また、折り畳み状態における前パネルの内側面が宅配物と接触する面になる。
前パネルを前側に開くと、それに伴い、前パネルに備えられたカバーも自動的に展開される。すなわち、図１Ａおよび図１Ｂに示す折り畳み状態から前パネルを前側に開くと、図１Ｃおよび図１Ｅに示す展開状態（施錠状態）へと変形される。
【００２２】
図１Ｂに示すように、折り畳み状態における前パネルの上面は、前側から後側に向けて、上から下へと傾斜していることが好ましい。これにより、前パネルを前側に展開して展開状態へと変形した際に、この傾斜部分が地面に対してスロープのような役割を果たし、宅配物をパネルから上げ下げする動作を楽にすることができる。スロープの傾斜角度によっては、宅配物をパネルから上げ下げする際に、宅配物を持ちあげる動作が必要なくなり、宅配物を単に押し引きするだけで宅配物をパネルから上げ下げできるようになる。これにより、利用者（配達員や宅配物受取人）の足腰にかかる負担を大幅に軽減することができる。
また、図１Ｂに示すように、宅配物受取装置の上面は、その後側から前側に向けて、上から下へと少し傾斜していることが好ましい。宅配物受取装置の上面には、コントロールユニットとディスプレイが備えられている。宅配物受取装置の上面が傾斜していることにより、宅配物受取装置の前側に立ったユーザから見て、ディスプレイが視認しやすくなる。また、上面に備えられたボタンやタッチパネル等を操作しやすくなる。
【００２３】
図１Ｃは、展開状態（施錠状態）の斜視図である。
図１Ｅは、展開状態（施錠状態）を側面から見た図である。
図１Ａおよび図１Ｂに示す折り畳み状態から、前パネルを前側に倒すと、図１Ｃおよび図１Ｅに示す展開状態（施錠状態）へと変形される。これにより以下のような有利な効果を奏する。例えば宅配物受取装置が屋根の無い屋外に設置される場合を想像する。このような場合、たとえ激しい雨が降っている日であったとしても、前パネルを倒してすぐにパネルの上面が雨で濡れてしまうということが無い。パネルの上面は宅配物が直接載置される面であるため、パネルの上面が濡れることは好ましくない。また、単に宅配物受取装置を展開しただけではカバー内部に外気が入り込むことが無いため、例えば宅配物受取装置が温度調整機能を有する場合など保温機能の向上が期待できる。図１Ｅに示すように、施錠状態においてカバーはその上側において、宅配物受取装置本体にロックされている。
【００２４】
図１Ｄは、展開状態（開錠状態）の斜視図である。
図１Ｃおよび図１Ｅに示す展開状態（施錠状態）から、ロックを解除すると（ロックについての詳細は後述）、カバーを上から下へと畳むことができるようになる。カバーが畳まれた状態、すなわち展開状態（開錠状態）の斜視図を図１Ｄに示す。図１Ｄに示すように、カバーは折り畳まれた状態で、前パネル上面に設けられた凹部に収納することができる。宅配物によりカバーが損傷することを防止するため、カバーが前パネル上面凹部に収納された状態においても、カバーは前パネルの上面に対して尚少し凹んだ高さに位置することが好ましい。また、ユーザがカバーを凹部から容易に引き上げることができるようにするために、カバーを引き上げるための持ち手のような構造が備えられていることが好ましい。
図１Ｄに示す展開状態（開錠状態）において、前パネル底面が地面と完全に接していると、宅配物を前パネルに上げ下げしやすくなる。他方、 前パネル底面が地面と完全に接していると、図１Ｃ、図１Ｅおよび図１Ｄに示す展開状態から前パネルを折り畳んで折り畳み状態に宅配物受取装置を変形させる操作を、行いづらくなる（前パネルを持ち上げづらくなるため）。このため、前パネルの側面に、ユーザの手を入れることができるような凹部が設けられていることが好ましい。これにより、宅配物受取装置に荷物を上げ下げする動作が楽になりつつ、且つ、展開状態から折り畳み状態へと宅配物受取装置を変形させる操作も楽にすることができる。
施錠状態においては、カバーの中に収納された宅配物を窃盗犯から安全に保護することができる。更に、宅配物受取装置そのものについても窃盗から保護
されることが好ましい。このため、宅配物受取装置はある程度の重量を有していることが好ましい。あるいは、宅配物受取装置は、自装置が大きく移動されたことを検出して、自装置が移動された旨を荷物受取人のユーザ端末に通知したり、管理サーバに通知したりする機能を備えていても良い。
【００２５】
［配達員が、宅配物を配達する前］
宅配物受取装置は管理サーバと通信可能に接続されている。宅配物受取装置は、宅配物が配達される前に予め、「宅配情報」を管理サーバ等から受信しておき、自装置が備える記憶装置に配達情報を記憶しておくことが好ましい。あるいは、「宅配情報」が管理サーバ上に記憶されていてもよい。
「宅配情報」とは、例えば、宅配物受取装置から見て、自装置に配達される予定の荷物を識別する情報であったり、配達員を識別する情報であったり、あるいは、宅配行為そのものを識別する情報である。「宅配情報」とは例えば、宅配物受取装置から見て、宅配行為が、本当に自装置に向けられた宅配行為なのか否か（言い換えると誤配達でないかどうか）を識別できる情報である。「宅配情報」の別の例としては、宅配物受取装置から見て、今から収納される宅配物が、確かに配送中の状態にあることを確認できる情報である（詳細は後述する）。
また、同様の「宅配情報」が、例えば配達員の有する配達員端末に記憶されていてもよい。あるいは同様の「宅配情報」が、配達物に貼付されていてもよい。
宅配物受取装置が誤配達を防ぐ方法は、種々の既存技術を用いることができる。
【００２６】
［配達員が、宅配物を配達する動作］
宅配物受取装置の前側に立った配達員は、宅配物受取装置の前パネルを前側に倒して、宅配物受取装置を折り畳み状態から展開状態（施錠状態）へと変形させる。折り畳み状態から展開状態（施錠状態）への変形には、特にロックの解除等の操作は必要が無い（もちろんロックを設けてもよい）。基本的には、折り畳み状態と展開状態（施錠状態）との間の一方から他方への変形はロックとは無関係に可能である。
【００２７】
配達員が、宅配物受取装置を展開状態（施錠状態）へと変形させると、配達員は例えば、配達員端末に記憶されている配達情報を、宅配物受取装置に読み込ませる。あるいは、宅配物に貼付されている配達情報を、宅配物受取装置に読み込ませる。宅配物受取装置が配達情報を読み込む方法は、単純に配達情報を配達員端末から受信したり、光学的にバーコードやＱＲコード（登録商標）等を読み取ったり、宅配物受取装置に備えられたカメラで撮像した宅配物や配達員を画像認証したり、配達員を生体認証したりすることが考えられるが、特には限定されない。
宅配物受取装置が配達情報を読み込むと、宅配物受取装置は、読み込んだ配達情報を、自装置に記憶されている配達情報と比較する処理を行う。比較の結果両者が整合した場合、ロックが解除される。あるいは宅配物受取装置は、読み込んだ配達情報を管理サーバに送信する。管理サーバは、宅配物受取装置から受信した配達情報を、自サーバに記憶されている配達情報と比較する処理を行う。比較の結果両者が整合した場合、ロックを解除すべき旨の情報が、管理サーバから宅配物受取装置へと送信される。この結果、宅配物受取装置のロックが解除される。
宅配物受取装置のロックが解除される動作は以下のようであってもよい。宅配物受取装置は、配達情報として荷物に貼り付けられたＱＲコード等から配送番号を読み取る。宅配物受取装置は、読み取った配送番号を管理サーバに送信する。管理サーバは、宅配物受取装置から受信した配送番号に基づいて、当該配送番号に対応する宅配物が、現在配送中の状態であるか否かを判定する。管理サーバは、その判定結果を宅配物受取装置宛てに返送する。宅配物受取装置は、受信した判定結果が、読み取った配送番号に対応する宅配物が現在配送中の状態であることを示す場合に、ロックを解除する。このほかにも、ロックを解除する具体的な方法には様々なバリエーションが考えられる。
宅配物受取装置のロックが解除されると、図１Ｃまたは１Ｅに示す展開状態（施錠状態）から、図１Ｄに示す展開状態（開錠状態）への変形が可能になる。
【００２８】
配達員は、図１Ｄに示す展開状態（開錠状態）において、宅配物を前パネル上面に載せる。そして、カバーを下側から上側に持ち上げて、展開状態（開錠状態）から展開状態（施錠状態）へと変形し、カバーをロックする。これにより、宅配物が安全に保管される。なお、仮に宅配物が前パネル上面の凹部（カバーが収納されている窪み）の上に載ってしまうと、あるいは宅配物がカバーの動線と交差してしまうと、当然ながらカバーを持ち上げることはできなくなる。このため、前パネル上面の凹部は、前パネル上面の中央寄りではなく周辺寄りに設置されることが好ましい。また、カバーを上げ下げする際の動線も、できる限り大きく外を回るように設計されることが好ましい。なお、カバーの上下は、ボタン操作等を受け付けたことをトリガーとして、モーターにより自動で行われてもよい。
配達員が宅配物を前パネルの上に置き、カバーをロックすると、配達作業完了である。この際、例えばカバーをロックされたことをトリガーとして、配達が完了したことを示す情報が、管理サーバまたはユーザ端末に送信されることが好ましい。
【００２９】
［受取人が、宅配物を取り出す動作］
宅配物受取装置が宅配物を格納しているとき、宅配物受取装置は図１Ｄに示す展開状態（施錠状態）にある。宅配物受取装置の前に立った受取人は、例えば、予め設定したパスワード等をコントロールユニットに入力する。宅配物受取装置は、受取人から入力されたパスワードと、予め記憶しているパスワードとを比較する。宅配物受取装置は、両者が整合していれば、カバーのロックを解除する。受取人は、カバーを上から下に下げることにより（言い換えれば施錠状態から開錠状態へと宅配物受取装置を変形させることにより）、宅配物を取り出すことができる。宅配物を取り出した後は、受取人は、前パネルを持ち上げることにより、展開状態（開錠状態）から折り畳み状態へと、宅配物受取装置を変形する。これにて、受取人が宅配物を受け取る動作が完了する。
【００３０】
宅配物受取装置は、受取人が宅配物を受け取ったことを例えば重量センサ等で検出し、宅配物が受け取られたことを示す情報を、受取人端末およびまたは管理サーバに送信しても良い。
【００３１】
＜第一の実施形態の変形例＞
図４に示すように宅配物受取装置は、折り畳み状態（図１Ａおよび図１Ｂ）から前パネルを倒した場合に、開錠状態（図１Ｄ）の形状に直接変形されるように、設計されていてもよい。
第一の実施形態の変形例において、基本的には、折り畳み状態と展開状態（開錠状態）との間の一方から他方への変形はロックとは無関係に可能である（もちろんロックを別途設けてもよい）。
第一の実施形態の変形例にかかる宅配物受取装置において、上述した[配達員が宅配物を配達する動作]は例えば以下のようになる。
配達員は、まず、前パネルを前倒しすることにより、宅配物受取装置を、折り畳み状態から展開状態（開錠状態）へと変形させる。配達員は、展開状態（開錠状態）にある宅配物受取装置の前パネルの上部に、宅配物を置く。そして配達員は、配達員が配達情報を宅配物受取装置に読み込ませる。宅配物受取装置が配達情報を正しく認証すると（認証の方法は第一の実施形態と同じ）、宅配物受取装置は、展開状態（開錠状態）から展開状態（施錠状態）へと変形可能になる。すなわちロック可能になる。言い換えると、宅配物受取装置が配達情報を正しく認証できなければ、宅配物受取装置は、展開状態（開錠状態）から展開状態（施錠状態）へと変形可能にならない。
【００３２】
＜第２の実施形態＞
図２は、第二の実施形態にかかる宅配物受取装置の説明図である。
第２の実施形態にかかる宅配物受取装置は、第一の実施形態にかかる宅配物受取装置と比較して、カバーのロック位置、およびカバーの動く方向が逆である。
第２の実施形態にかかる宅配物受取装置によれば、第一の実施形態にかかる宅配物受取装置と比較して、下記のメリットがある。
・コントロールユニット近傍に設けられたモーターにより、カバーを自動で巻き上げることが可能になる。
・特にカバーを入れ子構造とした場合に、第２の実施形態にかかる宅配物受取装置の方が、宅配物を収容できる空間を大きくすることができる。
・第１の実施形態ではカバーを下に収納した場合カバーパネルを収納するために前パネルの幅が大きくなってしまう。しかし第２の実施形態では前パネルの幅が大きくなってしまうことを防ぐことができる。
【００３３】
図７は、一実施形態にかかる宅配システム１０の利用環境を概略的に示す。宅配システム１０は、宅配物受取装置１００と、宅配物受取装置１０１と、宅配物受取装置１０２と、サーバ１２０と、配達員端末８２とを備える。サーバ１２０は、配達員８０による宅配物４０の配達を管理する。サーバ１２０、宅配物受取装置１００、配達員端末８２及び受取人端末９２はネットワーク５０を通じて互いに通信する。
【００３４】
宅配物受取装置１００、宅配物受取装置１０１、及び宅配物受取装置１０２は、例えば一戸建て住宅に設置されることが想定された宅配物受取装置である。宅配物受取装置１００、宅配物受取装置１０１、及び宅配物受取装置１０２は、互いに異なる家屋に設けられる。宅配物受取装置１００、宅配物受取装置１０１、及び宅配物受取装置１０２は同じ機能を有するので、宅配システム１０の説明においては、宅配物受取装置１００を取り上げて説明する。
【００３５】
宅配物受取装置１００は、宅配物受取人９０に代わって宅配物４０を受け取る。宅配物受取装置１００は、宅配物受取人９０の自宅に設けられる。宅配物受取装置１００は、パネル部２００が展開されることにより、宅配物４０を収納する空間を形成する構造を有する。宅配物受取装置１００において、配達員８０や宅配物受取人９０の指示に応じてパネル部２００の前部が開き、配達員８０や宅配物受取人９０が宅配物４０を出し入れすることができる。
【００３６】
配達員８０は、宅配物４０を配達する場合、宅配物４０を識別する宅配情報を宅配物受取装置１００に読み取らせる。宅配情報は、配達員端末８２により表示又は印字され得る。また、宅配情報は、宅配物４０に貼り付けられた伝票にバーコード又は２次元コード等の形式で印刷されている。例えば、宅配物配達員８０は、伝票に印刷された宅配情報を宅配物受取装置１００に読み取らせる。宅配物受取装置１００は、読み取った宅配情報をサーバ１２０に送信する。サーバ１２０は、宅配物受取装置１００から受信した宅配情報が宅配業者のサーバから取得した宅配物受取人９０宛ての宅配情報に一致する場合に、受取許可情報を宅配物受取装置１００に送信する。宅配物受取装置１００は、サーバ１２０から受取許可情報を受信した場合に、パネル部２００のロックを解除する。配達員８０は、ロックが解除されたパネル部２００を前方に開く。これにより、配達員８０は、パネル部２００の前方から宅配物４０を収納空間に置くことができる。
【００３７】
宅配物受取装置１００には、宅配物受取人９０が宅配物４０を取り出すためのパスコードが予め記憶されている。宅配物受取人９０は、宅配物４０を取り出す場合に、当該パスコードを宅配物受取装置１００に入力する。宅配物受取装置１００は、予め記憶しているパスコードと入力されたパスワードとが一致する場合、パネル部２００のロックを解除する。パネル部２００のロックが解除されると、宅配物受取人９０は、パネル部２００の前方に開き、パネル部２００の前方より宅配物４０を取り出すことができる。
【００３８】
宅配物受取装置１００によれば、宅配物４０を収容する場合にパネル部２００が前方に展開する。そのため、宅配物受取装置１００が宅配物４０を収納していないときは、宅配物受取装置１００が大きなスペースを占めることがない。一方、宅配物４０を収納する場合には、十分な収納体積を確保することができる。また、パネル部２００の前部が開く構成になっているので、宅配物受取装置１００に対して宅配物４０を出し入れする際に、宅配物４０を持ち上げる必要がない。そのため、配達員８０及び宅配物受取人９０に負担がかかるような動作を強要することがない。
【００３９】
図８は、宅配物受取装置１００を前方から見た場合の外観を概略的に示す。図９は、宅配物受取装置１００を側方から見た場合の側断面を概略的に示す。
【００４０】
宅配物受取装置１００は、パネル部２００と、本体部２１０と、コントロールユニット２４０と、ディスプレイ２５０と、読み取り装置２６０と、ベースプレート２３０とを備える。ディスプレイ２５０は、例えばタッチパネル機能を有する。読み取り装置２６０は、宅配物４０に貼り付けられた伝票に印刷されたバーコード等を読み取る。パネル部２００は、前パネル部２０２と、複数のカバーパネル部２０４とを有する。
【００４１】
図１０は、パネル部２００の展開状態においてカバーパネル部２０４が閉じた状態を示す概略的な斜視図である。図１１は、パネル部２００の展開状態においてカバーパネル部２０４が閉じた状態を示す概略的な側面図である。図１２は、パネル部２００の展開状態においてカバーパネル部２０４が開いた状態を示す概略的な斜視図である。
【００４２】
なお、本実施形態において、パネル部２００の展開状態とは、少なくとも前パネル部２０２が展開されている状態をいう。また、パネル部２００の展開状態において、カバーパネル部２０４が閉じた状態のことを、カバーパネル閉状態と呼ぶ。パネル部２００の展開状態において、カバーパネル部２０４が開いた状態のことをカバーパネル開状態と呼ぶ。パネル部２００の展開状態には、カバーパネル閉状態及びカバーパネル開状態の両方の状態が含まれる。
【００４３】
パネル部２００は、本体部２１０の前方に設けられている。パネル部２００は、本体部２１０から展開可能である。パネル部２００は、本体部２１０から展開された展開状態において、本体部２１０とともに物体を収納可能な空間１０００を形成可能である。コントロールユニット２４０は、空間１０００が形成されている場合に、利用者の指示に応じてパネル部２００の前部を少なくとも開放する。利用者とは、配達員８０及び宅配物受取人９０の少なくとも一方である。
【００４４】
図９に示されるように、カバーパネル部２０４は、本体部２１０が展開されていない非展開状態において、畳まれている。例えば、カバーパネル部２０４のそれぞれは、非展開状態において、入れ子状態で他のカバーパネル部２０４に収容されることにより畳まれる。図１０及び図１１に示されるように、カバーパネル部２０４は展開状態において広げられる。
【００４５】
前パネル部２０２は、パネル部２００の非展開状態において宅配物受取装置１００の前部に立設され、展開状態において底部に平置される。パネル部２００が非展開状態から展開される場合に、前パネル部２０２は、宅配物受取装置１００の前部に立設された状態から、底部に平置された状態になるように開かれる。
【００４６】
例えば、カバーパネル部２０４ａの前端が前パネル部２０２に係合され、カバーパネル部２０４ａの後端はカバーパネル部２０４ｂの前端に係合される。また、カバーパネル部２０４ｂの後端がカバーパネル部２０４ｃの前端に係合され、カバーパネル部２０４ｃの後端はカバーパネル部２０４ｄの前端に係合される。また、カバーパネル部２０４ｄの後端は、カバーパネル部２０４ｅの前端に係合され、カバーパネル部２０４ｅの後端は、カバーパネル部２０４ｆの前端に係合される。そして、カバーパネル部２０４ｆの後端は、ロック部２９０により本体部２１０に係合される可能である。これにより、前パネル部２０２を開く動きに従って、カバーパネル部２０４が順次に入れ子状態から広げられる。前パネル部２０２が底部に平置された状態になった場合に、カバーパネル部２０４は、前パネル部２０２と本体部２１０との間に連結された状態となる。これにより、前パネル部２０２と、カバーパネル部２０４と、本体部２１０とにより囲われた空間１０００が形成される。
【００４７】
このように、パネル部２００が非展開状態から展開される場合に、複数のカバーパネル部２０４が畳まれた状態から広げられることにより、パネル部２００が展開状態になった場合に空間１０００を形成する。具体的には、パネル部２００が非展開状態から展開される場合に、前パネル部２０２が立設された状態から平置された状態に移行する動きに従って複数のカバーパネル部２０４が畳まれた状態から広げられることにより、パネル部２００が展開状態になった場合に空間１０００を形成する。そのため、パネル部２００を展開している間に雨等が入り込むことを抑制することができる。
【００４８】
前パネル部２０２は傾斜部２０３を有する。具体的には、傾斜部２０３は、展開状態において前パネル部２０２の前端部に位置する。展開状態において、傾斜部２０３は、前パネル部２０２の底面２０６から上面２０７に向かう傾斜面となる。非展開状態において、底面２０６は、前後方向の前方に位置し、上面２０７は前後方向の後方に位置する。
【００４９】
前パネル部２０２の上面２０７には、カバーパネル部２０４を収納するための収納部２０８が設けられる。図１２に示されるように、収納部２０８は、パネル部２００の前部が開放されている場合に複数のカバーパネル部２０４のうちの少なくとも一部を収納する。
【００５０】
なお、前パネル部２０２には、配達員８０及び宅配物受取人９０が前パネル部２０２を持つための溝２０９が設けられる。配達員８０及び宅配物受取人９０は、溝２０９に指を入れて前パネル部２０２を持ち上げたり持ち下げたりすることができる。
【００５１】
宅配物受取装置１００において、パネル部２００は、図８及び９に示される非展開状態から、図１０から図１２に示される展開状態へと変形可能である。また、パネル部２００は、展開状態から非展開状態へと変形可能である。また、パネル部２００は、展開状態において、図１０及び図１１に示すカバーパネル閉状態から、図１２に示すカバーパネル開状態へと変形可能である。また、パネル部２００は、カバーパネル開状態からカバーパネル閉状態へと変形可能である。
【００５２】
次に、宅配システム１０を配達員８０及び宅配物受取人９０が利用する場合の動作を説明する。サーバ１２０は、宅配物受取装置１００に収納されるべき宅配物４０に対応づけられた宅配情報を管理する。コントロールユニット２４０は、サーバ１２０と通信可能である。サーバ１２０は宅配業者のサーバと通信可能である。
【００５３】
ここで、宅配情報とは、例えば、宅配物受取装置１００に配達される予定の宅配物４０を識別する識別情報である。なお、宅配情報として、配達員８０を識別する情報を適用してよい。また、宅配情報として、宅配物４０を宅配するという行為を識別する情報を適用してよい。また、宅配物４０に貼り付けられた伝票には、宅配情報を示すバーコードが印刷されている。
【００５４】
配達員８０は、宅配物受取装置１００の前側から、宅配物受取装置１００の前パネル部２０２を前側に倒すことにより、宅配物受取装置１００のパネル部２００は非展開状態から展開されて、カバーパネル閉状態へと変形する。なお、パネル部２００を非展開状態からカバーパネル閉状態への変形時に、ロック解除等の操作は不要であってよい。パネル部２００を非展開状態からカバーパネル閉状態への変形時に、ロック解除等の操作を必要としてもよい。
【００５５】
配達員８０は、パネル部２００をカバーパネル閉状態に変形させると、宅配物４０に貼り付けられた伝票に印刷されたバーコードを読み取り装置２６０に読み取らせる。コントロールユニット２４０は、読み取り装置２６０により読み取られたバーコードから宅配情報を取得する。コントロールユニット２４０は、取得した宅配情報をサーバ１２０に送信する。サーバ１２０は、コントロールユニット２４０から宅配情報を受信すると、宅配業者のサーバから、宅配物受取人９０宛ての宅配情報を取得する。サーバ１２０は、コントロールユニット２４０から受信した宅配情報が宅配物受取人９０宛ての宅配情報に一致する場合に、受取許可情報を宅配物受取装置１００に通知する。コントロールユニット２４０は、サーバ１２０から受取許可情報を受信した場合に、ロック部２９０を解除して、パネル部２００のロックを解除する。配達員８０は、カバーパネル部２０４を下げて前パネル部２０２の収納部２０８に収納する。これにより、パネル部２００は、図１２に示すカバーパネル開状態となる。
【００５６】
このように、読み取り装置２６０は、配達員８０から宅配情報を取得する。具体的には、読み取り装置２６０は、配達員８０が配達する宅配物４０に対応づけられた第１識別情報を取得する。コントロールユニット２４０は、空間１０００が形成されている場合に、読み取り装置２６０が取得した宅配情報が、サーバ１２０が宅配業者のサーバから取得した宅配物受取人９０宛ての宅配情報に適合することを条件として、パネル部２００の前部を少なくとも開放する。具体的には、コントロールユニット２４０は、空間１０００が形成されている場合に、第１識別情報が第２識別情報に適合することを条件として、パネル部２００の前部を少なくとも開放する。なお、バーコードから取得した宅配情報は、第１識別情報の一例である。また、サーバ１２０が宅配業者のサーバから取得した宅配物受取人９０宛ての宅配情報は、予め定められた第２識別情報の一例である。
【００５７】
また、コントロールユニット２４０は、配達員８０が所持する配達員端末に表示されたバーコードやＱＲコード等のコード情報を読み取ることにより、宅配情報を取得してよい。また、コントロールユニット２４０は、カメラで撮像した宅配物の画像を認証することにより、宅配情報を取得してよい。また、宅配情報が配達員８０を識別する情報を含む場合、コントロールユニット２４０は、カメラで撮像した配達員８０の画像を認証することにより、宅配情報を取得してよい。他にもコントロールユニット２４０は、配達員８０の生体認証により宅配情報を取得してよい。また、コントロールユニット２４０は、配達員端末に記憶されている宅配情報を配達員端末から受信することにより、宅配情報を取得してよい。
【００５８】
配達員８０は、パネル部２００が図１２に示すカバーパネル開状態にある場合に、宅配物４０を前パネル部２０２の上面２０７に載せる。そして、配達員８０は、カバーパネル部２０４を本体部２１０まで持ち上げる。これにより、カバーパネル部２０４は、本体部２１０のロック部２９０にロックされる。このように、ロック部２９０は、カバーパネル部２０４を開けることによりパネル部２００の前部が開放された後、カバーパネル部２０４を閉じることによりパネル部２００の前部が閉じられた場合に、カバーパネル部２０４をロックすることによって、空間１０００が形成された状態でパネル部２００をロックする。これにより、宅配物４０は、図１０及び図１１に示すカバーパネル閉状態で、空間１０００内に安全に保管することができる。
【００５９】
なお、前パネル上面２０７において、宅配物４０が収納部２０８上に載ってしまったり、宅配物４０がカバーパネル部２０４の動線と交差してしまったりすると、カバーパネル部２０４を持ち上げることはできなくなる。このため、収納部２０８は、前パネルの上面２０７の周辺部に設けられることが好ましい。また、カバーパネル部２０４を上げ下げする際の動線も、できる限り大きく外を回るように設計されることが好ましい。なお、カバーパネル部２０４の上げ下げはモータ等の駆動装置の駆動力により行われてもよい。例えば、コントロールユニット２４０は、配達員８０からボタン操作等を受け付けたことをトリガーとして、駆動装置を駆動してカバーパネル部２０４の上げ下げを行ってよい。
【００６０】
配達員８０が宅配物４０を前パネルの上に置き、カバーパネル部２０４をロックすることで配達作業完了となる。この場合、カバーパネル部２０４をロックされたことをトリガーとして、コントロールユニット２４０は、宅配物４０の配達が完了したことを示す情報をサーバ１２０または受取人端末９２に送信する。
【００６１】
次に、宅配物受取人９０が宅配物４０を取り出す場合の動作を説明する。宅配物受取人９０は、コントロールユニット２４０に予め設定したパスコードを、ディスプレイ２５０のタッチパネル機能を介して入力する。コントロールユニット２４０は、宅配物受取人９０から入力されたパスコードと、予め記憶しているパスワードとを比較する。コントロールユニット２４０は、ディスプレイ２５０のタッチパネル機能を介して入力されたパスコードと、コントロールユニット２４０に予め設定したパスコードとが整合している場合に、ロック部２９０のロックを解除する。
【００６２】
宅配物受取人９０は、カバーパネル部２０４を下げることにより、パネル部２００を図１２に示す状態にして、宅配物４０を取り出す。そして、宅配物受取人９０は、前パネル部２０２を持ち上げることにより、カバーパネル開状態から非展開状態へとパネル部２００を変形する。これにより、宅配物受取人９０が宅配物４０を受け取ることができる。
【００６３】
なお、コントロールユニット２４０は、上面２０７に設けられた重量センサ２７０の出力に基づいて、宅配物受取人９０が宅配物４０を受け取ったことを検出する。コントロールユニット２４０は、宅配物受取人９０が宅配物４０を受け取ったことを検出すると、宅配物４０が受け取られたことを示す情報を、宅配物受取人９０の端末及びサーバ１２０の少なくとも一方に送信する。
【００６４】
図１３は、配達員８０が宅配物４０を前パネル部２０２上に載せる場合の動作を概略的に示す。前パネル部２０２の前端には傾斜部２０３が設けられている。そのため、配達員８０は、傾斜部２０３に沿って宅配物４０を上面２０７上に載せることができる。これにより、配達員８０は宅配物４０を地面から高く持ち上げることなく、上面２０７上に宅配物４０を載せることができる。
【００６５】
なお、以上の説明では、宅配物受取装置１００において、配達員８０が前パネル部２０２を開いた場合にカバーパネル閉状態に遷移する場合を説明した。配達員８０が前パネル部２０２を開いた場合にカバーパネル開状態に遷移してもよい。この場合、配達員８０は、カバーパネル開状態となった場合に前パネル部２０２の上面２０７に宅配物４０を載せる。配達員８０は、宅配情報を読み取り装置２６０に読み取らせる。コントロールユニット２４０は、読み取り装置２６０により読み取られた宅配情報をサーバ１２０に送信して、サーバ１２０から受取許可情報を受信した場合に、ロック部２９０によりカバーパネル部２０４をロック可能とする。配達員８０は、カバーパネル部２０４を本体部２１０まで持ち上げることで、カバーパネル部２０４がロック部２９０によりロックされる。これにより、カバーパネル閉状態に遷移する。
【００６６】
以上の説明では、宅配物受取人９０は、宅配物４０を取り出す場合に、予め定められたパスコードを入力するものとした。宅配物受取装置１００が宅配物受取人９０の自宅に設けられる場合等のように、宅配物受取人９０が宅配物受取装置１００の専有的に使用する場合は、予め定められたパスコードを入力する方式でよい。宅配物受取人９０が宅配物受取装置１００を他者と共有する場合は、宅配物受取人９０宛ての宅配物４０が宅配物受取装置１００に収容されてパネル部２００が非展開状態となった場合に、コントロールユニット２４０は、受取人端末９２にパスコードを送信してよい。
【００６７】
図１４は、宅配物受取装置１００の変形例としての宅配物受取装置１４００の側断面を概略的に示す。宅配物受取装置１４００は、カバーパネル部２０４を本体部２１０が収容する点を除いて、宅配物受取装置１００と相違する。具体的には、宅配物受取装置１４００において、カバーパネル部２０４の収納部２１８は、前パネル部１４２０ではなく、本体部２１０側に設けられている。収納部２１８は、パネル部２００の前部が開放されている場合に複数のカバーパネル部２０４のうちの少なくとも一部を収納する。本体部２１０には、カバーパネル部２０４を収容するためのカバーパネル駆動装置１４１０がさらに設けられる。
【００６８】
図１５は、カバーパネル閉状態における宅配物受取装置１４００の概略的な側面図である。図１６は、カバーパネル開状態における宅配物受取装置１４００の概略的な斜視図である。カバーパネル駆動装置１４１０は、カバーパネル開状態から、カバーパネル部２０４を引っ張り上げて収納部２１８に収容する。また、カバーパネル駆動装置１４１０は、カバーパネル部２０４のロック機構を提供する。なお、宅配物受取装置１４００において、カバーパネル部２０４が引っ張り上げられることを規制するロック部を前パネル部２０２に設けてもよい。
【００６９】
宅配物受取装置１４００によれば、カバーパネル駆動装置１４１０により、カバーパネル部２０４を自動で引っ張り上げることができる。また、カバーパネル部２０４を入れ子構造とした場合に、宅配物を収容できる空間を大きくすることができる。また、前パネル部２０２にカバーパネル部２０４を収納する必要がないため、前パネル部２０２を薄くすることができる。
【００７０】
図１７は、カバーパネル部２０４の開閉機構を概略的に示す側面図である。図１８は、カバーパネル部２０４の１つを拡大して示す。カバーパネル部２０４の上部パネル部１７００は、可撓性のシート１７５０が挿通される貫通部１７１０を有する。シート１７５０の先端は、カバーパネル部２０４ａに固定される。カバーパネル部２０４は入れ子構造で収容される。具体的には、カバーパネル部２０４ａがカバーパネル部２０４ｂの内側に収容され、カバーパネル部２０４ｂがカバーパネル部２０４ｃの内側に収容され、カバーパネル部２０４ｃがカバーパネル部２０４ｄの内側に収容され、カバーパネル部２０４ｄがカバーパネル部２０４ｅの内側に収容され、カバーパネル部２０４ｅがカバーパネル部２０４ｆの内側に収容される。カバーパネル駆動装置１４１０は、シート１７５０を巻き上げることにより、カバーパネル部２０４を入れ子構造で収納部２１８に収容する。
【００７１】
なお、宅配物受取装置１４００は、自動配達装置により配達される宅配物の受取に適用することができる。自動配達装置としては、自動配達車やドローンを例示することができる。
【００７２】
具体的には、自動配達装置が宅配物受取装置１００に接近すると、コントロールユニット２４０は、自動配達装置から宅配情報を受信して、自動配達装置から受信した宅配情報をサーバ１２０に送信する。コントロールユニット２４０は、サーバ１２０から受取許可情報を受信した場合、前パネル部２０２を展開してカバーパネル部２０４を収納部２１８に収納する。これにより、カバーパネル開状態となる。自動配達装置が宅配物を前パネル部２０２に載せると、コントロールユニット２４０は、カバーパネル部２０４を巻き上げてカバーパネル閉状態として、配送情報をサーバ１２０及び受取人端末９２に送信する。
【００７３】
図１９は、宅配物受取装置１００の変形例としての宅配物受取装置１９００を概略的に示す。宅配物受取装置１９００は、前パネル駆動装置１９１０を備え、前パネル駆動装置１９１０により前パネル部２０２を駆動可能である点で、宅配物受取装置１００と相違する。
【００７４】
宅配物受取人９０が宅配物４０を受け取る場合、カバーパネル開状態において、コントロールユニット２４０は、前パネル駆動装置１９１０を動作させて、前パネル部２０２を上昇させる。宅配物受取人９０が宅配物４０を取り出すと、宅配物４０が取り出されたことが重量センサ２７０により検出される。コントロールユニット２４０は、宅配物４０が取り出されたことが検出されると、前パネル駆動装置１９１０を動作させて前パネル部２０２を下降させる。前パネル部２０２が予め定められた位置まで下降すると、コントロールユニット２４０は、前パネル駆動装置１９１０を動作させて前パネル部２０２を閉じることにより、パネル部２００を非展開状態にする。宅配物受取装置１９００によれば、宅配物受取人９０が宅配物４０を取り出しやすい高さまで宅配物４０を上昇させることができる。そして、宅配物受取人９０が宅配物４０を取り出すと、パネル部２００は非展開状態となる。そのため、宅配物受取人９０は宅配物４０を取り出した後、パネル部２００を操作せずに宅配物４０を自宅に持ち運ぶことができる。
【００７５】
図２０は、宅配物受取装置１００の変形例としての宅配物受取装置２０００を概略的に示す。宅配物受取装置２０００は、前パネル部２０２が取り外し可能に設けられ、前パネル部２０２が車輪２０１０及び取手２０２０を有する点で、宅配物受取装置１００と相違する。
【００７６】
取手２０２０は、前パネル部２０２の傾斜部２０３に収容されている。宅配物受取装置２０００においてカバーパネル開状態にある場合、前パネル部２０２は、本体部２１０の段差部２１２と車輪２０１０とが係合することで本体部２１０と係合する。宅配物受取人９０は、傾斜部２０３に収容されている取手２０２０を取り出して、取手２０２０を持って前パネル部２０２を前方に引くと、車輪２０１０が段差部２１２を乗り越える。これにより、前パネル部２０２が本体部２１０から取り外される。これにより、宅配物受取人９０は、前パネル部２０２に宅配物４０が載置された状態で前パネル部２０２を移動することができる。
【００７７】
以上に説明した宅配システム１０は配達システムの一例であり、宅配物は配達物の一例である。宅配システム１０の構成と同様の構成のシステムを、宅配物に代えて配達物を対象とする配達システムに適用することができる。
【００７８】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００７９】
特許請求の範囲、明細書、および図面中において示した装置、システム、プログラム、および方法における動作、手順、ステップ、および段階などの各処理の実行順序は、特段「より前に」、「先立って」などと明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」などを用いて説明したとしても、この順で実施することが必須であることを意味するものではない。
【符号の説明】
【００８０】
１０  宅配システム  
４０  宅配物  
５０  ネットワーク  
８０  配達員  
８２  配達員端末  
９０  宅配物受取人
９２  受取人端末  
１００  宅配物受取装置  
１０１  宅配物受取装置  
１０２  宅配物受取装置  
１２０  サーバ  
２００  パネル部  
２０２  前パネル部  
２０３  傾斜部  
２０４  カバーパネル部
２０６  底面  
２０７  上面  
２０８  収納部  
２０９  溝  
２１０  本体部  
２１２  段差部  
２１８  収納部  
２３０  ベースプレート  
２４０  コントロールユニット  
２５０  ディスプレイ  
２６０  装置  
２７０  重量センサ  
２９０  ロック部  
１０００  空間  
１４００  宅配物受取装置  
１４１０  カバーパネル駆動装置  
１４２０  前パネル部  
１７００  上部パネル部  
１７１０  貫通部  
１７５０  シート  
１９００  宅配物受取装置  
１９１０  前パネル駆動装置  
２０００  宅配物受取装置  
２０１０  車輪  
２０２０  取手  
【図１】
2019136467.tif 000003
【図２】
2019136467.tif 000004
【図３】
2019136467.tif 000005
【図４】
2019136467.tif 000006
【図５】
2019136467.tif 000007
【図６】
2019136467.tif 000008
【図７】
2019136467.tif 000009
【図８】
2019136467.tif 000010
【図９】
2019136467.tif 000011
【図１０】
2019136467.tif 000012
【図１１】
2019136467.tif 000013
【図１２】
2019136467.tif 000014
【図１３】
2019136467.tif 000015
【図１４】
2019136467.tif 000016
【図１５】
2019136467.tif 000017
【図１６】
2019136467.tif 000018
【図１７】
2019136467.tif 000019
【図１８】
2019136467.tif 000020
【図１９】
2019136467.tif 000021
【図２０】
2019136467.tif 000022